(57)【要約】【課題】新たな迂回用の通信回線を設けることなく、ＩＰ交換装置が障害等によって停止した場合でも、前記ＩＰ交換装置が収容するＩＰ電話回線を活用し、前記ＩＰ交換装置を介さないで内線端末から発着信できる手段を提供する。【解決手段】ＩＰ外線を収容するＩＰ交換装置とＬＡＮまたはＷＡＮを介して接続されるＩＰ電話端末であって、ＩＰ交換装置の内線端末として機能するＩＰ内線動作部と、ＩＰ交換装置を介さないでＩＰ外線に直接接続される端末として機能するＩＰ外線動作部とを有し、ＩＰ交換装置の動作が正常か異常かを検出する手段と、ＩＰ外線に接続するための接続情報記憶手段とを有し、ＩＰ交換装置の動作が異常であることを検出した場合、接続情報記憶手段に記憶されたＩＰ外線に接続するための情報にもとづき、ＩＰ外線動作部を活性化させＩＰ外線を介して通信する。【選択図】図１
2008135806.tif 000002
【特許請求の範囲】
【請求項１】
ＩＰ外線を収容するＩＰ交換装置とＬＡＮまたはＷＡＮを介して接続されるＩＰ電話端末であって、
前記ＩＰ交換装置の内線端末として機能するＩＰ内線動作部と、前記ＩＰ交換装置を介さないで前記ＩＰ外線に直接接続される端末として機能するＩＰ外線動作部とを有し、前記ＩＰ交換装置の動作が正常か異常かを検出する手段と、前記ＩＰ外線に接続するための接続情報記憶手段とを有し、
前記ＩＰ交換装置の動作が異常であることを検出した場合、前記接続情報記憶手段に記憶された前記ＩＰ外線に接続するための情報にもとづき、前記ＩＰ外線動作部を活性化させ前記ＩＰ外線を介して通信することを特徴とするＩＰ電話端末。
【請求項２】
請求項１に記載のＩＰ電話端末であって、
ＩＰ内線に接続するためのインタフェースポートとＩＰ外線に接続するためのインタフェースポートが異なる物理ポートとして構成されており、いずれかのインタフェースポートの機能を停止または活性化する手段を有し、機能を停止したポートをハブ機能のインタフェースポートとして動作可能としたことを特徴とするＩＰ電話端末。
【請求項３】
請求項１に記載のＩＰ電話端末であって、
ＩＰ内線に接続するためのインタフェースポートとＩＰ外線に接続するためのインタフェースポートが兼用の物理ポートとして構成されており、前記接続情報記憶手段に記憶されたＩＰ内線接続用の情報とＩＰ外線接続用の情報とを切替えて、前記ＩＰ内線または前記ＩＰ外線を介して通信することを特徴とするＩＰ電話端末。
【請求項４】
請求項１から請求項３のいずれかに記載のＩＰ電話端末であって、
前記ＩＰ交換装置の動作が異常から正常に復旧した場合、前記ＩＰ外線動作部の動作を停止すると共に、前記ＩＰ内線動作部の動作を活性化することを特徴とするＩＰ電話端末。
【請求項５】
請求項１から請求項４のいずれかに記載のＩＰ電話端末であって、
前記ＩＰ交換装置の動作が正常か異常かを検出する手段は、
前記ＩＰ交換装置のＩＰ内線制御部からの制御信号の有無を検出するＩＰ内線インタフェース監視部と、
前記ＩＰ交換装置のＩＰ外線制御部が送受信するＩＰパケットの有無や前記ＩＰ外線制御部へ予め定められた確認信号を出力しその反応を検出するＩＰ外線インタフェース監視部の
いずれかまたは両方を具備することを特徴とするＩＰ電話端末。
【請求項６】
請求項５に記載のＩＰ電話端末であって、
前記ＩＰ外線インタフェース監視部は、
前記ＩＰ交換装置のＩＰ外線制御部に、返信を要求する予め定められた監視コマンドを送出し、前記返信の有無を検出することを特徴とするＩＰ電話端末。
【請求項７】
請求項５に記載のＩＰ電話端末であって、
前記ＩＰ外線インタフェース監視部は、
前記ＩＰ外線動作部から前記ＩＰ交換装置のＩＰ外線制御部の電話番号で電話発信し、その反応を検出することを特徴とするＩＰ電話端末。
【請求項８】
請求項５に記載のＩＰ電話端末であって、
前記ＩＰ外線インタフェース監視部または前記ＩＰ外線インタフェース監視部は、
前記ＩＰ内線動作部から前記ＩＰ交換装置のＩＰ外線制御部の電話番号で電話発信し、その反応を検出することを特徴とするＩＰ電話端末。
【発明の詳細な説明】
【技術分野】
【０００１】
本発明は、ＩＰ電話回線を収容するＩＰ交換装置に接続される内線端末において、ＩＰ交換装置が障害等によって利用できないときに、内線端末から直接ＩＰ電話サービスに接続可能とするＩＰ電話端末に関するものである。
【背景技術】
【０００２】
従来のＩＰ構内電話システムの内線端末では、主装置や通信配線などの障害等により、主装置の機能が利用できなくなった場合、アナログ回線や別のＩＰ回線へ迂回するゲートウェイ装置（以下ＧＷと略すこともある）などを介して、異なる通信媒体や異なる電話番号の回線に切替えて通信路を形成していた。（図９、図１０）
【０００３】
このことは、特許文献１において、「ＩＰ−ＰＢＸ配下の内線ＩＰ電話機において、ＩＰ電話機自体の電源供給やＩＰネットワークとの接続を検知し、障害発生時にゲートウェイを介して一般公衆網と接続する」などとして示されている。
【特許文献１】特開２００５−２６８９８号公報
【発明の開示】
【発明が解決しようとする課題】
【０００４】
しかし従来の迂回方法では、通常時と障害時に使用する通信回線が異なり、常用しない（障害時のみ使用する）回線契約を維持しておく必要があり不経済であると共に、ＩＰ交換装置が障害や保守等で停止した場合、収容していた通信回線が不通となるため、その通信回線による発着信ができなくなるという欠点があった。
また、ＩＰ交換装置に収容されている迂回用アナログ回線に切替えた場合、非常用として通信回線は確保されるが、通常使用しているＩＰ電話サービスの電話番号と異なる電話番号での発着信となるという欠点があった。
【０００５】
本発明の課題は、新たな迂回用の通信回線を設けることなく、ＩＰ交換装置が障害等によって停止した場合でも、前記ＩＰ交換装置が収容するＩＰ電話回線を活用し、前記ＩＰ交換装置を介さないで内線端末から発着信できる手段を提供することにある。
【課題を解決するための手段】
【０００６】
本発明のＩＰ電話端末は、ＩＰ外線を収容するＩＰ交換装置とＬＡＮまたはＷＡＮを介して接続され、前記ＩＰ交換装置の内線端末として機能するＩＰ内線動作部と、前記ＩＰ交換装置を介さないで前記ＩＰ外線に直接接続される端末として機能するＩＰ外線動作部とを有し、前記ＩＰ交換装置の動作が正常か異常かを検出する手段と、前記ＩＰ外線に接続するための接続情報記憶手段とを有し、前記ＩＰ交換装置の動作が異常であることを検出した場合、前記接続情報記憶手段に記憶された前記ＩＰ外線に接続するための情報にもとづき、前記ＩＰ外線動作部を活性化させ前記ＩＰ外線を介して通信することを特徴とする。
【発明の効果】
【０００７】
本発明によれば、ＩＰ交換装置の障害時においても、通常時にＩＰ交換装置経由で使用していたＩＰ電話回線を活用するので、障害用の通信回線を常設することなく、また新たにＩＰ電話サービスに接続するためのアカウント契約を必要とせず、回線の維持／契約コストを低減できる。
【０００８】
また従来は、ＩＰ交換装置と内線端末間に内線インタフェースの稼働状態のみを検出していたため、内線配線等の部分的な障害でも切替えてしまう不都合があったが、本発明によれば、ＩＰ交換装置の外線インタフェースの稼働状態も検出できるので、ＩＰ交換装置とＩＰ回線（外線）を含む広い範囲でシステムの正常性を確認でき、適切な切替が可能となった。
【発明を実施するための最良の形態】
【０００９】
以下に、図面を参照して本発明の実施の形態について説明する。
【実施例１】
【００１０】
図１は、本発明の実施例１を示す図で、ＩＰ交換装置１はＩＰ回線を収容する構内交換装置（ＰＢＸ）やボタン電話装置の主装置であり（以下「主装置１」という）、ＩＰ外線として通信事業者の提供するＩＰ電話サービス４に接続するためのＩＰ外線制御部１１と接続に必要な情報記憶手段１２と、ＩＰ電話端末を収容するＩＰ内線制御部１３と、ＩＰ外線とＩＰ内線、ＩＰ内線相互の呼接続を制御する交換制御部１４から構成されている。
【００１１】
また本発明によるＩＰ電話端末２は、主装置１のＩＰ内線端末として動作するためのＩＰ内線動作部２３と、ＩＰ内線インタフェースの動作が正常か異常かを検出するＩＰ内線インタフェース監視部２３１と、主装置１のＩＰ内線制御部１３とＩＰ電話端末２のＩＰ内線動作部２３とを接続するＩＰ内線ポート２３２、障害時にＩＰ外線端末として通信事業者の提供するＩＰ電話サービス４に接続するためのＩＰ外線動作部２１と、ＩＰ外線インタフェースの動作が正常か異常かを検出するＩＰ外線インタフェース監視部２１１と、ＩＰ電話サービス４とＩＰ電話端末２のＩＰ外線動作部２１とを接続するＩＰ外線ポート２１２と、回線に接続するための情報が記憶された回線接続情報メモリ２２と、それぞれの検出手段や制御部を管理する装置制御部２４から構成されている。
【００１２】
ＩＰ電話端末２のＩＰ外線ポート２１２とＩＰ内線ポート２３２、あるいは、主装置の接続ポート等は、周知のＲ４５ＪコネクタとＨＵＢ等により構成することができる。
【００１３】
通常時は、主装置１のＩＰ内線制御部１３とＩＰ電話端末２のＩＰ内線動作部２３とが共に動作し、ＩＰ外線（ＩＰ電話サービス４）とは、ルータ３−主装置１のＩＰ外線制御部１１−交換制御部１４−ＩＰ内線制御部１３を経て、ＩＰ電話端末２のＩＰ内線動作部２３のルートで接続されている。
【００１４】
このとき、ＩＰ内線動作部２３は、回線接続情報メモリのＩＰ内線用情報（図２のＥ１〜Ｅ５）に基づいて動作し、また、ＩＰ外線動作部２１の機能は停止している。しかし、主装置１をメンテナンスのために動作を停止させた場合、あるいは、電源が断となっていた場合、主装置１の各制御部の機能が停止し、ＩＰ外線（ＩＰ電話サービス４）を利用できない状態となる。
【００１５】
そこで、本発明では、主装置１の機能が停止したことを、ＩＰ電話端末２のＩＰ内線インタフェース監視部２３１において、主装置１のＩＰ内線制御部１３からの制御信号Ｍ１３５が到来しなかった場合に、主装置１の内線機能が異常である（停止した）と判断し、装置制御部２４の制御により、ＩＰ外線インタフェース監視部２１１を回線接続情報メモリ２２のＩＰ外線用情報（図２のＣ１〜Ｃ３）として動作させ、主装置１のＩＰ外線制御部１１に対して稼働状態の確認信号Ｍ２１５を出力する。
【００１６】
主装置１のＩＰ外線制御部１１は、ＩＰ電話端末２からの稼働状態の確認信号Ｍ２１５を受信した際、正常に稼働しＩＰ外線（ＩＰ電話サービス４）が利用可能な状態であれば、ＩＰ内線端末２に対してＩＰ外線の正常稼働の表示信号Ｍ１１５を返送する。
【００１７】
ＩＰ電話端末２の装置制御２４では、ＩＰ外線インタフェース監視部２１１を介して正常稼働の表示信号Ｍ１１５を受信したことを検出すると、主装置１のＩＰ外線インタフェースの動作は正常と判断し、ＩＰ外線制御部２１は機能を停止させたままとする。
一方、主装置１がメンテナンスのために動作を停止させた場合、あるいは、電源が断となっていた場合は、主装置１からの正常稼働の表示信号Ｍ１１５が返送されない。
【００１８】
ＩＰ電話端末２の装置制御部２４では、ＩＰ外線インタフェース監視部２１１において主装置１から正常稼働の表示信号Ｍ１１５が受信できないことから、主装置１のＩＰ外線（ＩＰ電話サービス４）が利用できない異常状態と判断し、あらかじめ登録された回線接続情報メモリ２２のＩＰ外線用情報（図２のＣ４〜Ｃ６）に基づきＩＰ外線制御部２１の動作を開始して、ＩＰ外線（ＩＰ電話サービス４）と接続し、直接ＩＰ電話サービス４を利用可能な状態とする。
【００１９】
このとき、回線接続情報メモリ２２に登録するアカウント情報を、主装置１がＩＰ外線に接続する際の内容と同じ値とすることで、通常時と同じＩＰ外線の電話番号で発着信が可能となる。
【００２０】
図２は、ＩＰ電話端末２における回線接続情報メモリ２２の登録内容の例を示す図で、
主装置１のＩＰ内線接続用のＩＰアドレスとサブネットマスク、主装置１の内線インタフェースのＩＰアドレスと内線番号（Ｅ１〜Ｅ５）と、通信事業者のＩＰ電話サービス４（ＩＰ外線）接続用のＩＰアドレスとサブネットマスク、ＩＰ電話サービス４用のサーバアドレスと電話番号とパスワード、及び主装置１のＩＰ外線の状態を検査する際の主装置ＩＰ外線インタフェースのアドレス（Ｃ１〜Ｃ６）で構成されており、それぞれの接続時にはこれらの情報に基づき通信が行われる。
【００２１】
図３は、ＩＰ電話端末２の装置制御部２４の処理を示す図で、ＩＰ電話端末２の装置制御部２４では、起動の開始時（Ｎ２４１）に、回線接続情報メモリ２２からＩＰ内線用情報（Ｅ１〜Ｅ５）を読出し（Ｓ２４１１）、ＩＰ内線動作部２３の処理を開始して（Ｓ２４１２）、主装置１のＩＰ内線制御部１３と接続する通常状態（Ｎ２４２）に移行する。
【００２２】
次に、通常状態（Ｎ２４２）において、ＩＰ内線インタフェース監視部２３１によって、主装置１のＩＰ内線制御部１３からの制御信号Ｍ１３５が到来するか否かを検出する（Ｓ２４２１）。
【００２３】
このとき、制御信号Ｍ１３５が検出されている場合はＳ２４２１の制御を継続し、制御信号Ｍ１３５が検出されない場合は回線接続情報メモリ２２からＩＰ外線用情報（Ｃ１〜Ｃ３）を読出し（Ｓ２４２２）、ＩＰ外線インタフェース監視部２１１を有効として、主装置１のＩＰ外線制御部１１に対して稼働状態の確認信号Ｍ２１５を送出する（Ｓ２４２３）。
【００２４】
次に、ＩＰ外線インタフェース監視部２１１において、主装置１のＩＰ外線制御部１１が正常に稼働していることを示す正常稼働の表示信号Ｍ１１５が返送されるかを検出し、信号Ｍ１１５が検出された場合はＳ２４２１からの通常動作を継続する（Ｓ２４２４）。
このとき、正常稼働の表示信号Ｍ１１５が検出されなかった場合は回線接続情報メモリ２２からＩＰ外線用アカウント情報（Ｃ４〜Ｃ６）を読出し（Ｓ２４２５）、ＩＰ外線動作部２１の処理を開始し直接ＩＰ電話サービス４に接続する（Ｓ２４２６）。またＩＰ内線動作部２３の機能を停止させ（Ｓ２４２７）、障害状態（Ｎ２４３）に移行する。
【００２５】
次に、障害状態（Ｎ２４３）では、ＩＰ外線インタフェース監視部２１１より、主装置１のＩＰ外線制御部１１に対して稼働状態の確認信号Ｍ２１５を出力する（Ｓ２４３１）。
このとき、正常稼働の表示信号Ｍ１１５が検出されかった場合はＳ２４３１からの制御を継続し（Ｓ２４３２）、正常稼働の表示信号Ｍ１１５が検出された場合はＩＰ外線動作部２１の機能を停止させ（Ｓ２４３３）、ＩＰ電話端末としての動作が継続している状態であれば通常状態（Ｎ２４１〜Ｎ２４２）に戻る。
【実施例２】
【００２６】
図４は、本発明の実施例２によるＩＰ電話端末のブロック構成を示している。本発明の実施例２は、ＩＰ電話端末２においてＩＰ内線に接続するためインタフェースポートとＩＰ外線に接続するためのインタフェースポートをひとつの物理ポート（ＩＰ共通ポート２２２）で共用した構成を示したものである。それぞれの接続先に応じて、装置制御部２４が回線接続情報メモリ２２のＩＰ内線用情報（Ｅ１〜Ｅ５）とＩＰ外線用情報（Ｃ１〜Ｃ６）を切替えると共に、ＩＰ共通ポート２２２を、ＩＰ内線ポートとＩＰ外線ポートにスイッチングして運用を行う。
【００２７】
本発明の実施例２のＩＰ共通ポート２２２は、実施例１のＩＰ電話端末２のＩＰ外線ポート２１２とＩＰ内線ポート２３２と同様に、周知のＲ４５ＪコネクタとＨＵＢ等を用い、ＩＰ外線ポートとＩＰ内線ポートの切換機構を付加することにより構成することができる。
【実施例３】
【００２８】
図５は、本発明の実施例３によるＩＰ電話端末のブロック構成を示している。
本発明の実施例１及び実施例２においては、主装置１のＩＰ内線制御部１３からの制御信号Ｍ１３５が到来しなかった場合に主装置１の内線機能が異常であると判断し、更に、この場合に、主装置のＩＰ外線インタフェース部の稼働状態を確認するために、稼働状態の確認信号Ｍ２１５を送信し、主装置１から正常稼働の表示信号Ｍ１１５が返送されない場合に、主装置１のＩＰ外線（ＩＰ電話サービス４）が利用できない異常状態と判断した。
【００２９】
本発明の実施例３では、主装置のＩＰ外線インタフェース部の稼働状態を確認する方法として、実施例１及び実施例２の方法に代えて、主装置１のＩＰ外線制御部１１に入出力されるＩＰパケットの送受信の有無をＩＰ電話端末２のＩＰ外線インタフェース監視部２１１でモニタすることを特徴とする。
【００３０】
ＩＰパケットの種類は、ＡＲＰ（Address Resolution Protocol）やＳＩＰ（Session Initiation Protocol）メッセージなどのＩＰ電話の呼（発着信／応答／切断）などのメッセージであって、主装置１のＩＰ外線制御部１１のＩＰアドレスに対して入出力されるものであれば、主装置のＩＰ外線インタフェース部の稼働状態を確認するための監視に用いることが可能である。また、ＡＲＰやＳＩＰメッセージ以外にも、ＭＧＣＰ（Media Gateway Control Protocol）、Ｈ．２４８／ＭＥＧＡＣＯ（Media Gateway Control）、Ｈ．３２３（international multimedia communications
protocol standard）などの別の方式もある。
【００３１】
図５において、主装置１のＩＰ内線制御部１３からの制御信号Ｍ１３５が到来せず、主装置１の内線機能が異常である（停止した）と判断した場合に、主装置のＩＰ外線インタフェース部の稼働状態を確認するために、ＩＰ電話端末２の装置制御部２４は、ＩＰ外線インタフェース監視部２１１を動作させ、主装置１のＩＰ外線制御部１１に入出力されるＩＰパケットの送受信の有無を、ＩＰ外線インタフェース監視部２１１でモニタする。
【００３２】
ＩＰ外線インタフェース監視部２１１で、主装置１のＩＰ外線制御部１１に入出力されるＩＰパケットの送受信が有ることを検出した場合には、実施例１又は実施例２の場合と同様に、通常動作を継続し、主装置１のＩＰ外線制御部１１に入出力されるＩＰパケットの送受信が検出されなかった場合には、回線接続情報メモリ２２からＩＰ外線用アカウント情報（Ｃ４〜Ｃ６）を読出し、ＩＰ外線動作部２１の処理を開始し直接ＩＰ電話サービス４に接続し、またＩＰ内線動作部２３の機能を停止させ、障害対応状態に移行する。
【実施例４】
【００３３】
図６は、本発明の実施例４によるＩＰ電話端末のブロック構成を示している。
本発明の実施例４では、主装置のＩＰ外線インタフェース部の稼働状態を確認する方法として、ＩＰ外線インタフェース監視部２１１からＰＩＮＧコマンド  （ＩＰパケットの一種）を、主装置のＩＰ外線制御部１１のＩＰアドレス宛に送出し、そのレスポンスの有無を確認する（もしくはその逆方向でも可）ことを特徴とする。
【００３４】
ＰＩＮＧ（Packet Internet Groper）コマンドは、ＩＣＭＰ（Internet Control Message Protocol）のコマンドの一種の返信要求コマンドである。
図６において、主装置１のＩＰ内線制御部１３からの制御信号Ｍ１３５が到来せず、主装置１の内線機能が異常である（停止した）と判断した場合に、主装置のＩＰ外線インタフェース部の稼働状態を確認するために、ＩＰ電話端末２の装置制御部２４は、ＩＰ外線インタフェース監視部２１１を動作させ、主装置１のＩＰ外線制御部１１のＩＰアドレス宛に返信要求コマンドであるＰＩＮＧコマンドを送信する。そして、返信要求コマンドであるＰＩＮＧコマンドに対するレスポンスの有無をＩＰ外線インタフェース監視部２１１で確認する。
【００３５】
ＩＰ外線インタフェース監視部２１１で、返信要求コマンドであるＰＩＮＧコマンドに対するレスポンスがあることを確認した場合には、通常動作を継続し、ＰＩＮＧコマンドに対するレスポンスが確認できなかった場合には、主装置１のＩＰ外線制御部１１に入出力されるＩＰパケットの送受信が検出されなかった場合には、回線接続情報メモリ２２からＩＰ外線用アカウント情報（Ｃ４〜Ｃ６）を読出し、ＩＰ外線動作部２１の処理を開始し直接ＩＰ電話サービス４に接続し、またＩＰ内線動作部２３の機能を停止させ、障害対応状態に移行する。
また、ＰＩＮＧコマンドの代わりに監視専用のメッセージで実現してもよい。
【実施例５】
【００３６】
図７は、本発明の実施例５によるＩＰ電話端末のブロック構成を示している。
本発明の実施例５では、主装置のＩＰ外線インタフェース部の稼働状態を確認する方法として、ＩＰ外線動作部２１から、主装置のＩＰ外線制御部１１の電話番号宛に、実際に発信し（電話をかけ）その反応の有無を確認する。（この時、ＩＰ外線制御部２１は別の電話番号である必要がある）
【００３７】
図７において、主装置１のＩＰ内線制御部１３からの制御信号Ｍ１３５が到来せず、主装置１の内線機能が異常である（停止した）と判断した場合に、主装置のＩＰ外線インタフェース部の稼働状態を確認するために、ＩＰ外線動作部２１から、主装置のＩＰ外線制御部１１の電話番号宛に、実際に発信し（電話をかけ）  その反応の有無を確認する。
【００３８】
ＩＰ外線動作部２１が、主装置のＩＰ外線制御部１１の電話番号からの反応があることを確認した場合には、通常動作を継続し、主装置のＩＰ外線制御部１１の電話番号からの反応が確認できなかった場合には、回線接続情報メモリ２２からＩＰ外線用アカウント情報（Ｃ４〜Ｃ６）を読出し、ＩＰ外線動作部２１の処理を開始し直接ＩＰ電話サービス４に接続し、またＩＰ内線動作部２３の機能を停止させ、障害状態に移行する。
【実施例６】
【００３９】
図８は、本発明の実施例６によるＩＰ電話端末のブロック構成を示している。
本発明の実施例７では、主装置のＩＰ外線インタフェース部の稼働状態を確認する方法として、ＩＰ内線動作部２３から、主装置のＩＰ外線制御部１１の電話番号宛に、実際に発信し（電話をかけ）その反応の有無を確認することを特徴とする。ＩＰ内線動作部２３から発信した場合は折返しのイメージとなる。
【００４０】
図８において、主装置１のＩＰ内線制御部１３からの制御信号Ｍ１３５が到来せず、主装置１の内線機能が異常である（停止した）と判断した場合に、主装置のＩＰ外線インタフェース部の稼働状態を確認するために、ＩＰ内線動作部２３から、主装置のＩＰ外線制御部１１の電話番号宛に、折り返し、発信し（電話をかけ）  その反応の有無を確認する。
【００４１】
ＩＰ内線動作部２３が、主装置のＩＰ外線制御部１１の電話番号からの反応があることを確認した場合には、通常動作を継続し、主装置のＩＰ外線制御部１１の電話番号からの反応が確認できなかった場合には、回線接続情報メモリ２２からＩＰ外線用アカウント情報（Ｃ４〜Ｃ６）を読出し、ＩＰ外線動作部２１の処理を開始し直接ＩＰ電話サービス４に接続し、またＩＰ内線動作部２３の機能を停止させ、障害対応状態に移行する。
【００４２】
なお、本発明の実施例３〜実施例６において、図５〜図８には、ＩＰ電話端末２にＩＰ外線ポート２１２とＩＰ内線ポート２３２が記載されているが、図４の実施例２と同様に、ＩＰ共通ポート２２２を用いることができる。
【００４３】
本発明によるＩＰ電話端末は、ＩＰ電話機やターミナルアダプタなどの形態や、無線インタフェースを有する端末など様々な実施形態がある。また主装置は、ＩＰ電話対応のボタン電話装置やＩＰ−ＰＢＸ（ローカルサーバ）などの実施形態がある。
【図面の簡単な説明】
【００４４】
【図１】図１は本発明の実施例１によるＩＰ電話端末のブロック構成を示す図である。
【図２】図２は本発明の実施例１によるＩＰ電話端末の回線接続情報メモリ２２の内容を示す図である。
【図３】図３は本発明の実施例１によるＩＰ電話端末の装置制御部２４における障害判定と接続先の切替制御の処理を示すフローチャートである。
【図４】図４は本発明の実施例２によるＩＰ電話端末のブロック構成を示す図である。
【図５】図５は本発明の実施例３によるＩＰ電話端末のブロック構成を示す図である。
【図６】図６は本発明の実施例４によるＩＰ電話端末のブロック構成を示す図である。
【図７】図７は本発明の実施例５によるＩＰ電話端末のブロック構成を示す図である。
【図８】図８は本発明の実施例６によるＩＰ電話端末のブロック構成を示す図である。
【図９】図９は従来の障害時の迂回構成として端末内で別のアナログ回線に接続する構成を示す図である。
【図１０】図１０は従来の障害時の迂回構成として別の回線にＧＷ経由で接続する構成を示す図である。
【符号の説明】
【００４５】
１    主装置
１１    ＩＰ外線制御部
１２    回線に接続するための情報記憶手段
１３    ＩＰ内線制御部
１４    交換制御部
２      ＩＰ電話端末
２１    ＩＰ外線動作部
２１１    主装置１のＩＰ外線インタフェース監視部
２１２    ＩＰ外線ポート
２２    回線接続情報メモリ
２２２    ＩＰ共通ポート
２３    ＩＰ内線動作部
２３１    ＩＰ内線インタフェース監視部
２３２    ＩＰ内線ポート
２４    装置制御部
３    ルータ
４    通信事業者のＩＰ電話サービス（ＩＰ電話網）
【図１】
2008135806.tif 000003
【図２】
2008135806.tif 000004
【図３】
2008135806.tif 000005
【図４】
2008135806.tif 000006
【図５】
2008135806.tif 000007
【図６】
2008135806.tif 000008
【図７】
2008135806.tif 000009
【図８】
2008135806.tif 000010
【図９】
2008135806.tif 000011
【図１０】
2008135806.tif 000012